(57)【特許請求の範囲】
【請求項１】
送り方向（Ｆ）を有し、チップホルダ（１２）と、前記チップホルダ（１２）の上側顎状部（３２）と下側顎状部（３４）の間に形成されたチップポケット（１６）の中に釈放自在に保持される切削チップ（１４）とを有する切削工具（１０）であって、前記チップポケット（１６）は前後方向を画定する縦軸を有し、
前記上側顎状部（３２）は、上側顎状部下面（３６）を有し、
前記下側顎状部は、
前記上側顎状部下面（３６）に対向する下側顎状部上面（３８）と、
前記チップホルダ（１２）の前方端（４２）に隣接する前方突出部（４０）であって、送り方向（Ｆ）に対して第一の角度（α）で傾斜する前方突出部前側隣接面（５０’’）と送り方向（Ｆ）に対して第二の角度（β）で傾斜する前方突出部後側隣接面（５２’’）を有し、前記上側顎状部（３２）の自由端（８４）が、縦方向に、前方突出部（４０）の後方に位置づけられる前方突出部（４０）と、
下側顎状部欠刻（４８）によって前記前方突出部（４０）から分離され、後方突出部隣接面（５６’’）を有する後方突出部（４４）と、
を有し、
前記切削チップは、
チップ上面（５８）と、チップ下面（６０）と、その間に延びる周辺側面（６２）と、
縦方向に延びるシャフト部（６６）に隣接する少なくとも１つの切削部（６４）と、
前記チップ下面（６０）の、前記少なくとも１つの切削部（６４）に隣接して、そこに至るまで延びる陥凹部（７０）であって、前記シャフト部（６６）の下側縁辺（７６）に対して第一の角度（α）で傾斜する陥凹部前側隣接面（７４’’）と、前記シャフト部（６６）の前記下側縁辺（７６）に対して第二の角度（β）で傾斜する陥凹部後側隣接面（７８’’）を有し、前記第一の角度（α）は前記第二の角度（β）より大きい陥凹部（７０）と、
前記チップ下面（６０）において、前記シャフト部（６６）に沿って延びる縦方向の溝の形状の下側隣接面（７２）と、
前記チップ上面（５８）において、前記シャフト部（６６）に沿って延びる縦方向の溝の形状の上側隣接面（８２）と、
を有し、
前記上側顎状部下面（３６）の少なくとも前方部分は前記チップ上面（５８）の前記上側隣接面（８２）に隣接し、前記前方突出部後側隣接面（５２’’）は前記陥凹部後側隣接面（７８’’）に隣接することを特徴とする切削工具。
【請求項２】
前記第一の角度（α）は２５°から５０°の範囲であり、前記第二の角度は２０°から４５°の範囲であり、前記第一の角度（α）は前記第二の角度（β）より大きいことが条件であることを特徴とする、請求項１に記載の切削工具。
【請求項３】
前記前方突出部前側隣接面（５０’’）は、相互に傾斜する２つの前方突出部前側区画（５０）を有し、前記前方突出部後側隣接面（５２’’）は、相互に傾斜する２つの前方突出部後側区画（５２）を有し、前記後方突出部隣接面（５６’’）は、相互に対して傾斜する２つの後方突出部区画（５６）を有することを特徴とする、請求項１に記載の切削工具。
【請求項４】
前記前方突出部（４０）はさらに、前記前方突出部前側隣接面（５０’’）と前記前方突出部後側隣接面（５２’’）を分離する、少なくとも１つの前方突出部中間区画（５４）を有し、
前記陥凹部（７０）は、前記陥凹部前側隣接面（７４’’）と前記陥凹部後側隣接面（７８’’）を分離する、少なくとも１つの陥凹部中間区画（８０）を有し、
前記少なくとも１つの前方突出部中間区画（５４）は、前記少なくとも１つの陥凹部中間区画（８０）と隣接しないことを特徴とする、請求項１に記載の切削工具。
【請求項５】
前記前方突出部前側隣接面（５０’’）は、前方突出部中央前側区画（５０’）によって分離される１対の前方突出部前側区画（５０）を有し、
前記前方突出部後側隣接面（５２’’）は、前方突出部中央後側区画（５２’）によって分離される１対の前方突出部後側区画（５２）を有し、
前記後方突出部隣接面（５６’’）は、後方突出部中央区画（５６’）によって分離される1対の後方突出部区画（５６）を有し、
前記前方突出部中央前側区画（５０’）、前記前方突出部中央後側区画（５２’）または前記後方突出部中央区画（５６’）のいずれも、切削チップの対向する表面に隣接しないことを特徴とする、請求項４に記載の切削工具。
【請求項６】
前記前方突出部前側隣接面（５０’’）は、前方突出部中央前側区画（５０’）によって分離される1対の前方突出部前側区画（５０）を有し、
前記前方突出部後側隣接面（５２’’）は、前方突出部中央後側区画（５２’）によって分離される１対の前方突出部後側区画（５２）を有し、
前記後方突出部隣接面（５６’’）は、後方突出部中央区画（５６’）によって分離される1対の後方突出部区画（５６）を有し、
前記前方突出部中央前側区画（５０’）、前記前方突出部中央後側区画（５２’）または前記後方突出部中央区画（５６’）のいずれも、切削チップの対向する表面に隣接しないことを特徴とする、請求項１に記載の切削工具。
【請求項７】
チップ上面（５８）と、チップ下面（６０）と、その間に延びる周辺側面（６２）と、
縦方向に延びるシャフト部（６６）に隣接する少なくとも１つの切削部（６４）と、
前記チップ下面（６０）の、前記少なくとも１つの切削部（６４）に隣接し、そこに至るまで延びる陥凹部（７０）であって、前記シャフト部（６６）の下側縁辺（７６）に対して第一の角度（α）で傾斜する陥凹部前側隣接面（７４’’）と、前記シャフト部（６６）の前記下側縁辺（７６）に対して第二の角度（β）で傾斜する陥凹部後側隣接面（７８’’）を有する陥凹部（７０）と、
前記チップ下面（６０）において、前記シャフト部（６６）に沿って延びる縦方向の溝の形状の下側隣接面（７２）と、
前記チップ上面（５８）において、前記シャフト部（６６）に沿って延びる縦方向の溝の形状の上側隣接面（８２）と、
を有し、
前記第一の角度（α）は前記第二の角度（β）より大きいことを特徴とする切削チップ。
【請求項８】
前記第一の角度（α）は２５°から５０°の範囲であり、前記第二の角度は２０°から４５°の範囲であり、前記第一の角度（α）は前記第二の角度（β）より大きいことが条件であることを特徴とする、請求項７に記載の切削チップ。
【請求項９】
前記陥凹部前側隣接面（７４’’）は相互に対して傾斜する２つの陥凹部前側区画（７４）を有し、前記陥凹部後側隣接面（７８’’）は相互に対して傾斜する２つの陥凹部後側区画（７８）を有することを特徴とする、請求項７に記載の切削チップ。
【請求項１０】
前記切削チップは両端型であり、切削部（６４）を前記シャフト部（６６）の各端の付近に有し、
各切削部（６４）は、前記チップ下面（６０）にこれに関連づけられる陥凹部（７０）を有することを特徴とする、請求項７に記載の切削チップ。
【請求項１１】
各陥凹部（７０）は、前記下側縁辺（７６）の上方に前記チップ上面（５８）に向かって延びることを特徴とする、請求項１０に記載の切削チップ。
【請求項１２】
前記陥凹部前側隣接面（７４’’）と前記陥凹部後側隣接面（７８’’）を分離する少なくとも１つの陥凹部中間区画（８０）をさらに有することを特徴とする、請求項７に記載の切削チップ。
【請求項１３】
前記陥凹部前側隣接面（７４’’）と前記陥凹部後側隣接面（７８’’）の間に位置する２つの陥凹部中間区画（８０）と、
前記２つの陥凹部中間区画（８０）を分離する陥凹部中央中間区画（８０’）と、
をさらに有することを特徴とする、請求項１２に記載の切削チップ。
【請求項１４】
前記切削チップは両端型であり、切削部（６４）を前記シャフト部（６６）の各端の付近に有し、
各切削部（６４）は、前記チップ下面（６０）にこれに関連づけられる陥凹部（７０）を有することを特徴とする、請求項１３に記載の切削チップ。
【請求項１５】
各陥凹部（７０）は、前記下側縁辺（７６）の上方に前記チップ上面（５８）に向かって延びることを特徴とする、請求項１４に記載の切削チップ。
【発明の詳細な説明】
【技術分野】
【０００１】
本発明は、溝入れおよび旋盤作業のための切削工具に関する。
【背景技術】
【０００２】
溝入れ作業は一般に、工具ホルダの上側および下側顎状部の間に配置されるチップポケットの中に保持される切削チップを用いて行われる。ある利用分野では、たとえば「特許文献１」に示されているように、工具ホルダは比較的狭いホルダブレードであってもよい。別の利用分野では、たとえば「特許文献２」に示されているように、工具ホルダは、チップが保持される比較的狭いホルダブレード型の前部と、より大きな寸法の後部を有していてもよい。またある利用分野において、たとえば「特許文献３」に示されているように、工具ホルダは円盤型であってもよい。
【０００３】
上記のタイプの工具ホルダの多くおよび他のタイプの工具ホルダに伴う問題のひとつは、工具ホルダの中に保持される切削チップが、切削チップの外側または内側への移動によって、所定の位置から外れる恐れがある点である。これは、たとえば、溝切削作業中に、ホルダブレードを被加工物から引き抜こうとするとき等に発生しうる。場合によっては、切削チップがホルダブレードから完全に抜けて、被加工物の中に埋もれてしまうことがある。別の例として、回転式溝切削ツールの場合、切削チップは遠心力の影響によってチップポケットから飛び出すことさえあり、このような状態は、高速作業中には特に危険である。
【０００４】
「特許文献４」において開示されている金属切削工具では、切削チップが、クランプ顎状部の相互に対向する締め付け面の間に画定される工具ホルダ座部の中に締め付けられる。下側締め付け面には、切削チップの基底面に形成されたアーチ型陥凹部の中にフィットするようになされたアーチ型突起が設けられ、それが切削チップの内側および外側への移動を防止するメカニズムとなる。しかしながら、この工具ホルダ座部には両端型の切削チップを取り付けることができない。さらに、座部に両端型チップを配置しようと試みても、上側クランプ顎状部の自由端が突起の正反対に位置していることによって、座部の前端の上側および下側クランプ顎状部の間の距離が狭いため、切削チップの動作していない側の切削端を座部に挿入するには、クランプ顎状部を十分に押し広げなければならない。さらに、上側クランプ顎状部の自由端が突起の正反対にあるため、切削チップの切削部を座部の外に位置づけられるようにして、上側締め付け縁辺を切削チップの刃先から遠ざけなければならず、そうしないと、被加工物から削り取られた削りくずが上側締め付け縁辺に損傷を与える。切削チップの切削部を座部の外に位置づけたことにより、切削部を下から支えるものがない。
【０００５】
その上、アーチ型突起とアーチ型陥凹部の傾斜面に角度が付けられていないため、アーチ型突起とアーチ型陥凹部は、切削チップの内側および外側への移動を最大限に防止するように最適化されたものではない。アーチ型突起とアーチ型陥凹部は、突起がアーチ型陥凹部の中にフィットするような、単純な設計である。さらに、下側顎状部の締め付け面は、アーチ型突起から後方に延びる単純な楔止めリブのみ有しており、チップの安定性は一意的に決定できない。
【先行技術文献】
【特許文献】
【０００６】
【特許文献１】米国特許第４，３５７，１２３号明細書
【特許文献２】米国特許第５，７９５，１０９号明細書
【特許文献３】米国特許第５，８２０，３０９号明細書
【特許文献４】米国特許第４，９３８，６４０号明細書
【発明の概要】
【発明が解決しようとする課題】
【０００７】
本発明の目的は、上記の欠点を大幅に削減し、または克服する、金属切削作業用の切削工具を提供することである。
【課題を解決するための手段】
【０００８】
本発明の実施形態によれば、チップホルダと、チップホルダのチップ保持部の中に配置されるチップポケットの中に釈放自在に保持される切削チップとを備える切削工具が提供される。チップポケットは、チップホルダの上側顎状部と下側顎状部の間のギャップによって形成される。チップポケットは、縦方向および前後方向を画定する縦軸を有する。上側顎状部は、下側顎状部の下側顎状部上面と対向する上側顎状部下面を有する。下側顎状部には、下側顎状部の欠刻によって分離される前方および後方突出部が設けられる。上側顎状部は、縦方向に、前方突出部の後方に配置された自由端を有する。いくつかの実施形態によれば、前方突出部は、それぞれ切削工具の送り方向に対して第一の角度で傾斜する２つの前方突出部前側区画と、それぞれ切削工具の送り方向に対して第二の角度で傾斜する２つの前方突出部後側区画を有する。本発明によれば、第一の角度は第二の角度より大きい。いくつかの実施形態によれば、第一の角度は２５°から５０°の範囲の数値であってもよく、第二の角度は２０°から４５°の範囲の数値であってもよいが、第二の角度が第一の角度より小さいという制約がある。
【０００９】
切削チップは、チップ上面と、チップ下面と、その間に延びる周辺側面を有する。いくつかの実施形態によれば、切削チップは両端型チップであり、チップ下面には、切削チップの各端に隣接する陥凹部が設けられている。陥凹部の間には下側隣接面があり、これは略Ｖ字型の溝の形状であってもよい。いくつかの実施形態によれば、切削チップは片端型であり、チップ下面には、切削チップの一端だけに隣接する陥凹部が設けられ、チップ下面のそれ以外の部分は下側隣接面であり、これは略Ｖ字型の溝の形状であってもよい。陥凹部は、下側顎状部の前方突出部と相補的な形状を有し、第一の角度で傾斜する陥凹部前側区画と、第二の角度で傾斜する陥凹部後側区画を有する。
【００１０】
切削チップがチップポケット内に保持されているとき、上側顎状部下面のうち少なくとも上側顎状部の自由端に隣接する部分が切削チップの上側隣接面の一部に隣接し、下側顎状部の前方突出部はこれに関連付けられるチップ下面の陥凹部に隣接し、このとき陥凹部前側区画は前方突出部前側区画に隣接し、陥凹部後側区画は前方突出部後側区画に隣接し、下側顎状部の後方突出部は切削チップの下側隣接面に隣接する。
【００１１】
ここで、本発明をよりよく理解し、本発明が実際に実施される方法を示すために、添付の図面を参照する。
【図面の簡単な説明】
【００１２】
【図１】本発明の実施形態による切削工具の上部斜視図である。
【図２】本発明の実施形態によるチップホルダの上部斜視図である。
【図３】本発明の実施形態による切削チップの上部斜視図である。
【図４】本発明の実施形態によるチップホルダの底部斜視図である。
【図５】本発明の実施形態による切削チップの底部斜視図である。
【図６】本失明の実施形態によるチップホルダの側面図である。
【図７】本発明の実施形態による切削工具の側面図である。
【図８】本発明の実施形態による切削工具の、切削工具が途中までチップポケットに挿入された状態の側面図である。
【発明を実施するための形態】
【００１３】
より簡潔かつ明確に説明するために、図に示されている要素は必ずしも正確に、または正しい縮尺で描かれているとは限らないことがわかるであろう。たとえば、要素の寸法の中には、明瞭にするために、他の要素に関して誇張されているものがあり、また、いくつかの物理的構成要素が１つの機能ブロックまたは要素の中に含まれているかもしれない。さらに、適当であれば、対応する、または同様の要素については、同じ参照番号が複数の図面を通じて使用される。
【００１４】
以下の説明では、本発明のさまざまな態様を紹介する。説明の目的において、本発明が十分に理解されるように、具体的な構成と詳細を述べる。しかしながら、当業者にとって、本明細書に記載されている具体的な詳細項目がなくても本発明を実施できることが明らかであろう。さらに、周知の特徴は、本発明があいまいにならないように、割愛または簡略化される場合がある。
【００１５】
図を参照する。本発明の実施形態による切削工具１０はチップホルダ１２を有し、切削チップ１４がチップホルダ１２のチップ保持部１８の中にあるチップポケット１６の中に釈放自在に保持される。切削工具１０は金属切削作業に使用されてもよく、切削チップ１４は、超硬合金等のきわめて硬く、耐摩耗性にすぐれた材料を用い、バインダとカーバイド粉末を混練したものの成形プレスおよび焼結か、粉末射出成形方式のいずれかによって作製してもよい。チップポケット１６は縦軸Ｌを有し、これは、本発明のいくつかの実施形態によれば、切削工具１０の送り方向Ｆと一致していてもよい。縦方向は、縦方向と前後方向を画定する。チップ保持部１８から、チップポケット１６と反対方向に、チップホルダ１２の工具本体部２０が延びる。弾性スリット２２はチップポケット１６から後方に延び、終端に弾性孔２４がある。チップポケット１６と弾性スリット２２は、チップホルダ１２を上側クランプ２６と下側工具本体部２８に分割する。上側クランプ３０で受けられ、下側工具本体部２８の中に螺合的に受けられる締め付けねじ３０は、上側クランプ２６と下側工具本体部２８の間の距離を変更するために使用できる。
【００１６】
上側クランプ２６の前方部分は、チップホルダ１２のチップ保持部１８の上側顎状部３２を形成する。チップホルダ１２のチップ保持部１８において、上側顎状部３２の反対に下側顎状部３４がある。チップポケット１６は、上側顎状部３２と下側顎状部３４の間のギャップによって形成される。上側顎状部３２は、下側顎状部３４の下側顎状部上面３８と対面する上側顎状部下面３６を有する。上側顎状部下面３６は、縦方向のリブの形状であってもよい。いくつかの実施形態によれば、上側顎状部下面３６は、縦軸Ｌに垂直な平面で切った断面が凸形状であってもよい。いくつかの実施形態において、凸形状は山形のＶ字形であってもよい。下側顎状部３４には、チップ保持部１８の前方端４２に隣接する前方突出部４０と、チップ保持部１８の後方端４６に隣接し、またチップポケット１６の後端４７にも隣接する後方突出部４４が設けられている。前方および後方突出部４０，４４は、下側顎状部欠刻４８によって分離される。チップ保持部１８の前方端４２は、チップホルダ１２の前方端４２でもある。前方および後方突出部４０，４４は共通の基準面Ｐを有し、前方突出部４０は共通の基準面Ｐから第一の高さＨまで突出し、後方突出部４４は共通の基準面Ｐから第二の高さｈまで突出しており、Ｈはｈより大きい。
【００１７】
前方突出部４０の表面は、複数の表面区画に分割されていてもよい。いくつかの実施形態によれば、前方突出部４０は、相互に対して傾斜し、それぞれ切削工具１０の送り方向Ｆに対して第一の角度αで傾斜する２つの前方突出部前側区画５０と、相互に対して傾斜し、それぞれ切削工具の送り方向Ｆに対して第二の角度βで傾斜する２つの前方突出部後側区画５２を有していてもよい。いくつかの実施形態によれば、第一の角度αは２５°から５０°の範囲の数値であってもよく、第二の角度βは第一の角度αより小さい２０°から４５°の範囲の数値であってもよい。すなわち、第一と第二の角度αとβが上記の範囲内のいずれの数値であっても、第一の角度αは第二の角度βより大きい。
【００１８】
前方突出部前側区画５０は、切削チップ１４が内側に移動してチップポケット１６の中に入るのを防止する「内側ストッパ」として機能し、前方突出部後側区画５２は、切削チップ１４が外側に移動してチップポケット１６から出るのを防止するための「外側ストッパ」として機能する。
【００１９】
いくつかの実施形態によれば、前方突出部４０にはさらに、２つの前方突出部中間区画５４が設けられていてもよい。一方の前方突出部中間区画５４は、前方突出部前側および後側区画５０，５２の各ペアの間に配置され、これらを分離する。２つの前方突出部前側区画５０は、中央前方突出部前側区画５０’によって分離されていてもよい。２つの前方突出部後側区画５２は、中央前方突出部後側区画５２’によって分離されていてもよく、２つの前方突出部中間区画５４は、中央前方突出部中間区画５４’によって分離されていてもよい。２つの前方突出部前側区画５０は、前方突出部前側隣接面５０’’を形成する共通面の上にあってもよい。２つの前方突出部後側区画５２は、前方突出部後側隣接面５２’’を形成する共通面の上にあってもよい。したがって、前方突出部前側隣接面５０’’と前方突出部後側隣接面５２’’は、前方突出部中間区画５４によって縦方向に分離されてもよく、前方突出部中間区画５４は、切削チップ１４がチップポケット１６の中に取り付けられたときに、隣接面として機能しない。
【００２０】
後方突出部４４の表面は、複数の表面区画に分割されてもよい。いくつかの実施形態によれば、後方突出部４４は、相互に対して傾斜する２つの後方突出部区画５６を有していてもよい。いくつかの実施形態において、後方突出部区画５６は、切削工具の送り方向Ｆに対して傾斜していない。いくつかの実施形態において、２つの後方突出部区画５６は後方突出部中間区画５６’によって分離されていてもよい。後方突出部４４の２つの後方突出部区画５６は、後方突出部隣接面５６’’を形成する共通面の上にあってもよい。後方突出部隣接面５６’’は、想像上の縦方向のリブの表面の一部にあってもよく、縦方向のリブは送り方向Ｆと共通基準面Ｐに垂直な平面で切った断面が凸形状であってもよい。いくつかの実施形態において、凸形状は山形のＶ字形であってもよい。
【００２１】
切削チップ１４は、チップ上面５８と、チップ下面６０と、チップ上面および下面５８，６０の間に延びる周辺側面６２とを有する。いくつかの実施形態によれば、切削チップ１４は、長い形状の両端型チップであってもよく、シャフト部６６のいずれかの端に切削部６４がある。シャフト部６６は、各切削部６４の付近から、切削チップ１４の縦方向に沿って延びる。各切削部６４には、チップ上面５８に形成され、切削工程中に削りくずがその上を流れるすくい面６７と、周辺側面６２に形成された逃げ面６９との交差部に形成された刃先６８が設けられている。切削チップ１４がチップポケット１６の中にあるとき（たとえば、図７参照）、チップホルダ１２のチップ保持部１８の前方端４２に位置づけられた一方の切削部６４が、動作する側の切削部６４’（すなわち、切削作業に関わることが可能な位置にある）であり、チップポケット１６の中のもう一方の切削部６４は動作しない側の切削部６４’’である。
【００２２】
チップ下面６０には、切削チップ１４の各端に隣接した、または各切削部６４に同等に隣接し、そこに至るまで延びる陥凹部７０が設けられている。チップ下面６０の陥凹部７０の間に、下側隣接面７２が長い溝の形状でシャフト部６６に沿って延びる。いくつかの実施形態によれば、下側隣接面７２は、切削チップ１４の縦方向に垂直な平面で切った断面が凹形状であってもよい。いくつかの実施形態において、凹形状は谷形のＶ字形形状であってもよい。下側隣接面７２は、後方突出部４４の２つの後方突出部区画５６が存在する想像上の縦方向のリブの表面の形状に対して相補的な形状を有する。各陥凹部７０は、下側顎状部３４の前方突出部４０の形状に対して相補的な形状を有する。
【００２３】
各陥凹部７０の表面は、複数の表面区画に分割されていてもよい。いくつかの実施形態によれば、各陥凹部７０は、相互に傾斜し、それぞれ切削チップ１４のシャフト部６６の下側縁辺７６に対して第一の角度αで傾斜する２つの陥凹部前側区画７４と、相互に対して傾斜し、それぞれ下側縁辺７６に対して第二の角度βで傾斜する２つの陥凹部後側区画７８を有していてもよい。いくつかの実施形態によれば、周辺側面６２とチップ下面６０の交差部に、シャフト部６６に沿って形成された２つの下側縁辺７６があってもよい。図７でもっともよく見えるように、切削チップ１４の側面図において、チップ陥凹部７０は、シャフト部６６の下側縁辺７６より上に、チップ上面５８の方向へと延びる。
【００２４】
いくつかの実施形態によれば、各陥凹部７０にはさらに、２つの陥凹部中間区画８０が設けられていてもよい。１つの陥凹部中間区画８０は、ある陥凹部７０の陥没部前側および後側区画７４，７８の各ペアの間に配置され、これらを分離する。２つの陥凹部前側区画７４は、陥凹部中央前側区画７４’’によって分離されていてもよい。２つの陥凹部後側区画７８は陥凹部中央後側区画７８’’によって分離されていてもよく、２つの陥凹部中間区画８０は陥没部中央中間区画８０’によって分離されていてもよい。２つの陥凹部前側区画７４は、陥凹部前側隣接面７４’’を形成する共通面の上にあってもよい。２つの陥凹部後側区画７８は、陥凹部後側隣接面７８’’を形成する共通面の上にあってもよい。このように、陥凹部前側隣接面７４’’と陥凹部後側隣接面７８’’は、陥凹部中間区画８０によって縦方向に分離されていてもよく、陥凹部中間区画８０は一般に、切削チップ１４がチップポケット１６の中にあるときに隣接面として機能しない。
【００２５】
チップ上面５８の切削チップ１４の切削部６４の間に、長い溝の形状の上側隣接面８２がシャフト部６６に沿って延びる。いくつかの実施形態において、上側隣接面８２は、切削チップ１４の縦方向に垂直な平面で切った断面が凹形状であってもよい。いくつかの実施形態において、凹形状は谷形のＶ字形であってもよい。上側隣接面８２は、上側顎状部下面３６の形状に対して相補的な形状を有する。
【００２６】
図６に見られるように、いくつかの実施形態によれば、上側顎状部３２は、チップ保持部１８の前側端４２から、縦方向に、前方突出部４０より遠くに位置する自由端８４を有する。すなわち、上側顎状部３２の自由端８４は、縦方向に、前方突出部４０の後方に位置する。図６において、上側顎状部３２の自由端８４は、前方端４２から第一の縦方向の距離Ｄの位置にあるように示されており、前方突出部４０は、前方端４２から第二の縦方向の距離ｄ（前方突出部４０の中間点から測定）の位置にあるように示されており、第一の縦方向の距離Ｄは第二の縦方向の距離ｄより大きい。
【００２７】
切削チップ１４を切削ポケット１６の中に挿入するために、上側および下側顎状部３２，３４は、切削チップ１４の動作しない側の切削部６４’’をチップポケット１６に挿入できるように、十分に押し広げなければならない。チップホルダの側面図では、チップポケット１６が入口直線寸法Ｑの入口開口部８６を有する。上側顎状部３２の自由端８４が前方突出部４０の、縦方向に、後方に配置されるという事実により、入口直線寸法はｑ（チップホルダの側面図において、上側顎状部３２の自由端８４と前方突出部４０の最上部との間の垂直高さであり、自由端８４が前方突出部４０の最上部の真上にあったとした場合の入口直線寸法を画定する）からＱへと大きくなる。入口開口部８６が大きくなるということは、入口開口部８６の入口直線寸法が増大しない場合と比較して、上側および下側顎状部３２，３４を押し広げなければならない量が小さくなることを意味する。これにより、切削チップ１５をチップポケット１６に挿入しやすくなる（図６）。さらに、図１、図４に見られるように、上側顎状部３２の自由端が、縦方向に、前突起４０の後方に配置されているとき、動作する側の切削部６４’はチップホルダ１２の前方端４２に位置付けられ、先行技術のように前方端４２より外に出ないため、上側クランプ顎状部３２が被加工物から取り除かれた削りくずによって損傷を受ける心配がない。結果として、動作する側の切削部６４’’は下から十分に支えられる。
【００２８】
切削チップ１４が、締め付けねじ３０を締めてチップポケット１６の中に固定されると、上側顎状部下面３６の少なくとも前方部分はチップ上面５８の上側隣接面８２に隣接し、下側顎状部３４の前方突出部４０はチップ下面６０の関連する陥凹部７０に隣接し、下側クランプ顎状部３４の後方突出部４４はチップ下面６０の下側隣接面７２に隣接する。上側顎状部下面３６の、チップ上面５８の上側隣接面８２と隣接する前方部分は、上側顎状部３２の自由端８４に隣接する上側顎状部下面３６を含んでいてもよい。この領域は、縦方向に、前方突出部４０の後方に位置づけられるため、上側顎状部３２によって切削チップ１４にかけられる締め付け力は、チップの縦軸を横切り、前方および後方突出部４０，４４の間を通過する直線に沿って作用するため、バランスのとれた締め付け力となる。
【００２９】
いくつかの実施形態によれば、チップ下面６０と下側顎状部上面３８の間には３点（または３領域）の接触箇所がある。前方突出部４０がこれに関連する陥凹部７０と接触するのは、（ｉ）前方突出部前側隣接面５０’’が陥凹部前側隣接面７４’’に隣接する箇所、（ｉｉ）前方突出部後側隣接面５２’’が陥凹部後側隣接面７８’’に隣接する箇所、（ｉｉｉ）下側クランプ顎状部３４の後方突出部４４の後方突出部隣接面５６’’がチップ下面６０の下側隣接面７２に隣接する箇所、である。
【００３０】
しかしながら、一般に、下側顎状部上面３８の前方突出部中間区画５４は、チップ１４の陥凹部中間区画８０に隣接しない。さらに、下側顎状部上面３８の前方突出部中央前側区画５０’、前方突出部中央後側区画５２’または後方突出部中央区画５６’のいずれも、チップ１４の対向面と隣接しない。
【００３１】
バランスのとれた締め付け力および、３点で接触することと第一の角度αが第二の角度βより大きいという条件により、切削チップ１４をきわめて安定に締め付け、保持できることがわかった。
【００３２】
本発明について、１つまたは複数の具体的な実施形態を参照しながら説明したが、説明はすべて例示のためのものであり、本発明が上記の実施形態に限定されるとは解釈されない。当業者は各種の変更を考案するかもしれず、これらは本明細書には具体的に記されていなくても、本発明の範囲に含まれることがわかるであろう。
【図１】
0005390616.tif 000002
【図２】
0005390616.tif 000003
【図３】
0005390616.tif 000004
【図４】
0005390616.tif 000005
【図５】
0005390616.tif 000006
【図６】
0005390616.tif 000007
【図７】
0005390616.tif 000008
【図８】
0005390616.tif 000009